【手続補正書】
【提出日】平成18年5月25日(2006.5.25)
【手続補正１】
【補正対象書類名】特許請求の範囲
【補正対象項目名】全文
【補正方法】変更
【補正の内容】
【特許請求の範囲】
【請求項１】
電子ビーム（２６）を発生する電子源（２４）と、
該電子源（２４）から前記電子ビーム（２６）を受光するターゲット環（１６）であって、前記電子ビーム（２６）の当該ターゲット環（１６）への入射時にＸ線ファン・ビーム（３８）を放出するターゲット環（１６）と、
該ターゲット環（１６）に対向して配置されており、前記Ｘ線ファン・ビーム（３８）を検出する一対の検出器アレイ（２０及び２１）と、
前記ターゲット環（１６）と前記一対の検出器アレイ（２０及び２１）との間に同心状に配置されており、互いに対して同心状に配置されており患者検査域（３９）を包囲している内壁及び外壁を有するコリメータ（３６）であって、前記内壁及び外壁は、前記Ｘ線ファン・ビーム（３８）をコリメートして、第一の幅を有しており、シングル断層スライス及びダブル断層スライスの少なくとも一方を形成し、前記一対の検出器アレイ（２０及び２１）により検出される第一のコリメート後のビームを形成するように位置決めされた第一の組のアパーチャを有している、コリメータ（３６）とを備えた電子ビーム（２６）断層写真法（ＥＢＴ）走査システム（１０）。
【請求項２】
前記内壁及び外壁は、前記Ｘ線ファン・ビーム（３８）をコリメートして、第二の幅を有する第二のコリメート後のビームを形成するように位置決めされた第二の組のアパーチャを有しており、前記コリメータ（３６）は、前記第一及び第二の幅をそれぞれ有する前記第一及び第二のコリメート後のビームを画定するように前記単一のターゲット環（１６）に関して第一の位置と第二の位置との間を移動する請求項１に記載の電子ビーム断層写真法走査システム（１０）。
【請求項３】
前記コリメータ（３６）は、前記第一の位置に位置しているときには前記第一のコリメート後のビームを前記一対の検出器（２０及び２１）の一方の検出器（２０又は２１）のみに入射するように方向付けし、前記第二の位置に位置しているときには前記第一のコリメート後のビームを前記一対の検出器（２０及び２１）の両方の検出器（２０及び２１）に入射するように方向付けするように、前記単一のターゲットに関して第一の位置と第二の位置との間を移動する請求項１に記載の電子ビーム断層写真法走査システム（１０）。
【請求項４】
電子ビーム（２６）を発生する電子源（２４）と、
該電子源（２４）から前記電子ビーム（２６）を受光するターゲット環（１６）であって、前記電子ビーム（２６）の当該ターゲット環（１６）への入射時にＸ線ファン・ビーム（３８）を放出するターゲット環（１６）と、
該単一のターゲット環（１６）に対向して配置されており、前記Ｘ線ファン・ビーム（３８）を検出する第一の検出器アレイ（２０）及び第二の検出器アレイ（２１）と、
前記ターゲット環（１６）と前記第一及び第二の検出器アレイ（２０及び２１）との間に同心状に配置されており、互いに対して同心状に配置されており患者検査域を包囲している内壁及び外壁を有するコリメータ（３６）であって、前記内壁及び外壁は、
前記Ｘ線ファン・ビーム（３８）をコリメートして、第一の幅を有しており前記第一及び第二の検出器アレイ（２０及び２１）により検出される第一のコリメート後のビームを形成するように位置決めされた第一の組のアパーチャと、
前記Ｘ線ファン・ビーム（３８）をコリメートして、第二の幅を有しており前記第一及び第二の検出器アレイ（２０及び２１）により検出される第二のコリメート後のビームを形成するように位置決めされた第二の組のアパーチャとを有しており、前記コリメータ（３６）は、前記第一及び第二の幅をそれぞれ有する前記第一及び第二のコリメート後のビームを画定するように前記単一のターゲット環（１６）に関して第一の位置と第二の位置との間を移動するコリメータ（３６）とを備えた電子ビーム（２６）断層写真法（ＥＢＴ）走査システム（１０）。
【請求項５】
前記コリメータ（３６）は、前記第一の幅を有する前記第一のコリメート後のビームを前記第一及び第二の検出器アレイ（２０及び２１）の一方のみに入射するように方向付けするように前記ターゲット環（１６）に関して第三の位置まで移動する請求項４に記載の電子ビーム断層写真法走査システム（１０）。
【請求項６】
Ｘ線ファン・ビーム（３８）を放出するターゲット環（１６）と、前記Ｘ線ファン・ビーム（３８）のコリメート後の領域を検出する第一及び第二の検出器アレイ（２０及び２１）とを有する電子ビーム（２６）断層写真法（ＥＢＴ）システム（１０）と共に用いられるように構成されているコリメータ（３６）であって、
互いに対して同心状に配置されており患者検査域を包囲している内壁及び外壁を備えており、該内壁及び外壁は、
Ｘ線ファン・ビーム（３８）をコリメートして、第一の幅を有しており、当該コリメータ（３６）が第一の位置に位置しているときには第一及び第二の検出器アレイ（２０及び２１）により検出され、当該コリメータ（３６）が第二の位置まで移動したときには前記第一及び第二の検出器アレイ（２０及び２１）の一方により検出される第一のコリメート後のビームを形成するように位置決めされた第一の組のアパーチャと、
前記Ｘ線ファン・ビーム（３８）をコリメートして、第二の幅を有しており、当該コリメータ（３６）が第三の位置まで移動したときには前記第一及び第二の検出器アレイ（２０及び２１）により検出される第二のコリメート後のビームを形成するように位置決めされた第二の組のアパーチャとを有しており、当該コリメータ（３６）は、前記第一及び第二の幅をそれぞれ有する前記第一及び第二のコリメート後のビームを画定するように前記ターゲット環（１６）に関して前記第一、第二及び第三の位置の間を移動するコリメータ（３６）。
【請求項７】
前記Ｘ線ファン・ビーム（３８）をコリメートして前記第一の幅にある前記第一のコリメート後のビームを形成する第一の組の患者透過前Ｘ線アパーチャと、前記Ｘ線ファン・ビーム（３８）をコリメートして第二の幅にある第二のコリメート後のビームを形成する第二の組の患者透過前Ｘ線アパーチャとを有する線源のみの領域（Ｂ）をさらに含んでいる請求項６に記載のコリメータ（３６）。
【請求項８】
電子ビーム（２６）を発生する電子源（２４）と、
該電子源（２４）から前記電子ビーム（２６）を受光するターゲット環（１６）であって、前記電子ビーム（２６）の当該ターゲット環（１６）への入射時にＸ線ファン・ビーム（３８）を放出するターゲット環（１６）と、
該ターゲット環（１６）に対向して配置されており、前記Ｘ線ファン・ビーム（３８）を検出する第一の検出器アレイ（２０）及び第二の検出器アレイ（２１）と、
前記ターゲット環（１６）と前記第一及び第二の検出器アレイ（２０及び２１）との間に同心状に配置されており、互いに対して同心状に配置されており患者検査域を包囲している内壁及び外壁を有するコリメータ（３６）であって、前記内壁及び外壁は、
前記Ｘ線ファン・ビーム（３８）をコリメートして、第一の幅を有しており、前記コリメータ（３６）が第一の位置に位置しているときには第一及び第二の検出器アレイ（２０及び２１）により検出され、前記コリメータ（３６）が第二の位置まで移動したときには前記第一及び第二の検出器アレイ（２０及び２１）の一方により検出される第一のコリメート後のビームを形成するように位置決めされた第一の組のアパーチャと、
前記Ｘ線ファン・ビーム（３８）をコリメートして、第二の幅を有しており、前記コリメータ（３６）が第三の位置まで移動したときには前記第一及び第二の検出器アレイ（２０及び２１）により検出される第二のコリメート後のビームを形成するように位置決めされた第二の組のアパーチャとを有しており、前記コリメータ（３６）は、前記第一及び第二の幅をそれぞれ有する前記第一及び第二のコリメート後のビームを画定するように前記ターゲット環（１６）に関して前記第一、第二及び第三の位置の間を移動するコリメータ（３６）とを備えた電子ビーム（２６）断層写真法（ＥＢＴ）走査システム（１０）。
【請求項９】
前記コリメータ（３６）は、前記一対の検出器アレイ（２０及び２１）を散乱Ｘ線に対して遮蔽する第一の組の患者透過後Ｘ線アパーチャと、前記一対の検出器アレイ（２０及び２１）を散乱Ｘ線に対して遮蔽する第二の組の患者透過後Ｘ線アパーチャとを有する検出器のみの領域（Ｃ）を含んでいる請求項１、４，６，８のいずれかに記載の発明。
【請求項１０】
前記コリメータ（３６）は、前記Ｘ線ファン・ビーム（３８）をコリメートして前記第一の幅にある前記第一のコリメート後のビームを形成する第一の組の患者透過前Ｘ線アパーチャと、前記一対の検出器アレイ（２０及び２１）を散乱Ｘ線に対して遮蔽する第一の組の患者透過後Ｘ線アパーチャと、前記Ｘ線ファン・ビーム（３８）をコリメートして第二の幅にある第二のコリメート後のビームを形成する第二の組の患者透過前Ｘ線アパーチャと、前記一対の検出器アレイ（２０及び２１）を散乱Ｘ線に対して遮蔽する第二の組の患者透過後Ｘ線アパーチャとを有する線源／検出器重畳領域（Ａ）を含んでいる請求項１、４，６，８のいずれかに記載の発明。
【請求項１１】
前記コリメータ（３６）は、前記Ｘ線ファン・ビーム（３８）をコリメートして前記第一の幅にある前記第一のコリメート後のビームを形成する第一の組の患者透過前Ｘ線アパーチャと、前記Ｘ線ファン・ビーム（３８）をコリメートして第二の幅にある第二のコリメート後のビームを形成する第二の組の患者透過前Ｘ線アパーチャとを有する線源のみの領域（Ｂ）を含んでいる請求項１、４，８のいずれかに記載の発明。